(57)【要約】【課題】  従来技術では、表示された特許マップにおいて、階層構造をなすＩＰＣ等の記号群が利用されている場合でも、分類記号ごとの分析を簡単に行うのは困難であった。  【解決手段】  そこで、本発明の発明者は、階層構造をなす記号群によってデータ母集団中でのデータの分類を示すために用いられる分類記号を少なくとも一軸として表やグラフを表示するものである点、及び、階層を上下させるための入力を受け付ける構成を有する点に特徴を有するデータ表示装置を提供する。【選択図】図１
2011090535.tif 000002
【特許請求の範囲】
【請求項１】
データ母集団として、出願番号又は登録番号等をデータＩＤとし、データＩＤごとに与えられる評価値をデータ特性値とするデータ群である特許等データ群を保持するデータ母集団保持部と、
広い概念の単位での分類に用いる大分類記号から、いずれかの大分類記号で示される概念の下位に属する相対的に狭い概念の単位での分類に用いる中分類記号、いずれかの中分類記号で示される概念の下位に属するさらに相対的に狭い概念の単位での分類に用いる小分類記号というように階層構造をなす記号群によってデータ母集団中でのデータの分類を示すために用いられる分類記号を保持する分類記号保持部と、
データ類別に際して利用する階層の分類記号を取得する分類記号階層取得部と、
取得した階層の分類記号でデータ母集団を類別する類別部と、
少なくとも一軸は取得した階層の分類記号として、その分類記号で類別されたデータのデータ特性値を同一分類記号ごとに総和し表示する表示部と、
表示されている分類記号の少なくとも一以上に対して利用したい階層の分類記号を分類記号の階層構造内で上下に遷移させて決定するための入力を受け付け、分類記号階層取得部に引き渡す入力受付部と、
を有するデータ表示装置。
【請求項２】
入力受付部は、
表示部にて表示されている画面内で利用者に利用させるグラフィックポインタ手段と、
グラフィックポインタ手段のグラフィックポインタにて分類記号の表示領域を操作することで階層を上下に遷移させて決定するための入力を受け付けるポインタ入力受付手段と、
を有する請求項１に記載のデータ表示装置。
【請求項３】
分類記号保持部は、
分類記号として
最上位階層は、セクションであり、その次の階層は、クラスであり、その次の階層は、サブクラスであり、その次の階層は、メイングループであり、その次の階層は、サブグループである国際特許分類記号を保持する国際特許分類記号保持手段を有する請求項１又は２に記載のデータ表示装置。
【発明の詳細な説明】
【技術分野】
【０００１】
本発明は、コンピュータを利用した特許マップ作成システムに関する。
【背景技術】
【０００２】
特許マップは特許の分析に有用な道具として広く使用されている。また、コンピュータを利用した特許マップの作成も行われている。例えば、特許文献１には、バブルチャートの形式による表示例が開示されている。また、特許の分析に、階層構造をなすＩＰＣ等の記号群は、従来から利用されている。
【先行技術文献】
【特許文献】
【０００３】
特許文献１：特開２００６−３５１０４６
【発明の概要】
【発明が解決しようとする課題】
【０００４】
しかしながら、従来技術では、表示された特許マップにおいて、階層構造をなすＩＰＣ等の記号群が利用されている場合でも、分類記号ごとの分析を簡単に行うのは困難であった。
【課題を解決するための手段】
【０００５】
上記課題を解決するため、本発明の発明者は、以下のデータ表示装置を提供する。
【０００６】
すなわち、第１の発明としては、データ母集団として、出願番号又は登録番号等をデータＩＤとし、データＩＤごとに与えられる評価値をデータ特性値とするデータ群である特許等データ群を保持するデータ母集団保持部と、広い概念の単位での分類に用いる大分類記号から、いずれかの大分類記号で示される概念の下位に属する相対的に狭い概念の単位での分類に用いる中分類記号、いずれかの中分類記号で示される概念の下位に属するさらに相対的に狭い概念の単位での分類に用いる小分類記号というように階層構造をなす記号群によってデータ母集団中でのデータの分類を示すために用いられる分類記号を保持する分類記号保持部と、データ類別に際して利用する階層の分類記号を取得する分類記号階層取得部と、取得した階層の分類記号でデータ母集団を類別する類別部と、少なくとも一軸は取得した階層の分類記号として、その分類記号で類別されたデータのデータ特性値を同一分類記号ごとに総和し表示する表示部と、表示されている分類記号の少なくとも一以上に対して利用したい階層の分類記号を分類記号の階層構造内で上下に遷移させて決定するための入力を受け付け、分類記号階層取得部に引き渡す入力受付部と、を有するデータ表示装置を提供する。
【０００７】
第２の発明としては、入力受付部は、表示部にて表示されている画面内で利用者に利用させるグラフィックポインタ手段と、グラフィックポインタ手段のグラフィックポインタにて分類記号の表示領域を操作することで階層を上下に遷移させて決定するための入力を受け付けるポインタ入力受付手段と、を有する第１の発明に記載のデータ表示装置を提供する。
【０００８】
第３の発明としては、分類記号保持部は、分類記号として、最上位階層は、セクションであり、その次の階層は、クラスであり、その次の階層は、サブクラスであり、その次の階層は、メイングループであり、その次の階層は、サブグループである国際特許分類記号を保持する国際特許分類記号保持手段を有する第１の発明又は第２の発明に記載のデータ表示装置を提供する。
【発明の効果】
【０００９】
本発明により、パテント等のマップを簡単に作成することができるとともに、分類記号の階層を上下に遷移させることで、階層構造をなす記号群によってデータ母集団中でのデータの分類を示すために用いられる分類記号ごとの分析を、簡単に行うことができる。
【図面の簡単な説明】
【００１０】
【図１】実施形態１のデータ表示装置の機能ブロックの一例を表す図である。
【図２】特許等データ群に関するデータテーブルの模式的な一例である。
【図３】分類記号に関するデータテーブルの模式的な一例である。
【図４】実施形態１のデータ表示装置のハードウェア構成の一例を表す概略図である。
【図５】実施形態１のデータ表示装置の処理の流れを示すフローチャートの一例である。
【図６】実施形態１のデータ表示装置の画面の一例である。
【図７】実施形態１のデータ表示装置の画面のうち、絞込み処理を行った後の画面の一例である。
【図８】実施形態１のデータ表示装置おいて表示される棒グラフの一例である。
【図９】実施形態１のデータ表示装置における入力受付された場合の表示の変遷の一例を示す図である。
【図１０】実施形態１のデータ表示装置における入力受付された場合の表示の変遷の他の一例を示す図である。
【図１１】実施形態１のデータ表示装置おいて表示されるヒートマップの一例である。
【図１２】実施形態２のデータ表示装置おける入力受付の一例を表す図である。
【発明を実施するための形態】
【００１１】
以下、本件発明の実施の形態について、添付図面を用いて説明する。なお、本件発明は、これら実施形態に何ら限定されるべきものではなく、その要旨を逸脱しない範囲において、種々なる態様で実施し得る。実施形態１は、主に請求項１などについて説明する。実施形態２は、主に請求項２などについて説明する。実施形態３は、主に請求項３などについて説明する。
≪実施形態１≫
<実施形態１：概要>
【００１２】
本実施形態に係るデータ表示装置は、階層構造をなす記号群によってデータ母集団中でのデータの分類を示すために用いられる分類記号を少なくとも一軸として表やグラフを表示するものである点、及び、階層を上下させるための入力を受け付ける構成を有する点に特徴を有する。
<機能的構成>
【００１３】
図１は、本実施形態のデータ表示装置の機能ブロックの一例を表す図である。この図にあるように本実施形態の「データ表示装置」（０１０１）は、「データ母集団保持部」（０１０２）と、「分類記号保持部」（０１０３）と、「分類記号階層取得部」（０１０４）と、「類別部」（０１０５）と、「表示部」（０１０６）と、「入力受付部」（０１０７）と、を有する。
【００１４】
なお、以下に記載する本データ表示装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記録装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、利用者インターフェース用アプリケーションなどが挙げられる。
【００１５】
そして主メモリ上に展開したプログラムに従ったＣＰＵの演算処理によって、入力デバイスやその他インターフェースなどから入力されメモリやハードディスク上に保持されているデータなどが加工、蓄積されたり、上記各ハードウェアやソフトウェアを制御するための命令が生成されたりする。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
<実施形態１の各構成の説明>
<データ母集団保持部の説明>
【００１６】
「データ母集団保持部」は、データ母集団として、特許等データ群を保持する機能を有する。特許等データ群は、データＩＤと、データ特性値と、からなるデータ群である。特許だけでなく、実用新案、意匠、商標等の特許庁に登録されている知的財産権又は当該知的財産権を受ける権利に関するデータを含んでもよい。データＩＤは、出願番号又は登録番号等の特許庁でデータの識別に利用されている番号である。公開番号等を含んでも良い。特許出願番号、特許番号だけでなく、実用新案出願番号、実用新案登録番号等を含んでもよい。日本国内だけでなく、外国の出願番号又は国際出願番号であっても良い。
【００１７】
「データ特性値」は、データＩＤごとに与えられる評価値である。評価値は、例えば、評価者が独自の評価手法により算出した数値であっても良い。例えば、YK値を用いることが考えられる。YK値は、特許出願番号特願2007-164465により、算出される数値である。または、出願又は登録を評価値１としても良い。この場合は、表示段階で総和を行うことにより、出願件数、登録件数を特許マップに表示することができる。あるいは、ある出願に対する無効審判請求件数、異議申立件数等としても良い。出願はされたが、審査請求されなかった場合、拒絶査定がされた場合に、マイナスの数値を評価値として利用することも考えられる。特性値は一種類である必要はなく、複数の特性値が付与されていても良い。
【００１８】
図２は、特許等データ群に関するデータテーブルの模式的な一例である。この図のように、特許等データ群は、データＩＤごとに、後述する分類記号を関連付けて保持していると良い。また、データIDに関連付けて、出願日、出願人名などの関連情報を保持していると良い。関連情報には、代理人名、権利者名、発明の名称、発明の内容など、検索キーになり得る情報が広く含まれてよい。
<分類記号保持部の説明>
【００１９】
「分類記号保持部」は、分類記号を保持する機能を有する。分類記号は、広い概念の単位での分類に用いる大分類記号から、いずれかの大分類記号で示される概念の下位に属する相対的に狭い概念の単位での分類に用いる中分類記号、いずれかの中分類記号で示される概念の下位に属するさらに相対的に狭い概念の単位での分類に用いる小分類記号というように階層構造をなす記号群によってデータ母集団中でのデータの分類を示すために用いられる。分類記号には、Ｆターム、ＦＩ、ＩＰＣ等を用いることが考えられる。また、これと異なる分類記号を用いること、独自の分類記号を用いることも考えられる。
【００２０】
図３は、分類記号に関するデータテーブルの模式的な一例である。この図のように、分類記号は、例えば、分類記号その１、分類記号その２、分類記号その３、・・・などに、分割して保持されていてもよい。なお、分類記号と階層との関係は、最上位の概念を表す分類記号から、順次、階層構造にしたがって記述されることで、階層が特定される関係にある。具体例をあげれば、Ａにより最上位階層が特定され、Ａ21により最上位階層の一つ下の階層が特定され、Ａ21Ｂにより最上位階層の二つ下の階層が特定されるといった具合である。
【００２１】
データ母集団保持部において保持されている特許等データ群と、分類記号保持部において保持されている分類記号との関係は、特許等データ群のデータの一に対して、複数の分類記号が関連付けられている場合がある。一方、分類記号の一に対しては、複数の特許等データ群のデータが関連付けられている場合がある。
<分類記号階層取得部の説明>
【００２２】
「分類記号階層取得部」は、データ類別に際して利用する階層の分類記号を取得する機能を有する。
【００２３】
この機能は、例えば通信IF（インターフェース）や、利用者用の入力デバイス、GUI、分類記号階層取得プログラムなどによって実現することができる。例えばGUIなどを介して利用者が、マウスにより選択、キーボード入力などで入力することにより、利用する階層の分類記号を取得する構成とすれば良い。あるいは、最上位階層の分類記号をあらかじめ初期表示する分類記号として登録しておき、分類記号階層取得プログラムが電源投入などをトリガーとして、初期表示する階層の分類記号を取得するようにすることもできる。最上位階層の分類記号を図３のような模式的なデータテーブルで示すとＡ、Ｂ、Ｃといった具合となる。
【００２４】
あるいは、後述する入力受付部から、表示されている分類記号の少なくとも一以上に対して利用したい階層の分類記号を分類記号の階層構造内で上下に遷移させて決定するための情報が受け渡され、分類記号階層取得プログラムが、この情報に基づいて利用する階層の分類記号を取得することとしてもよい。具体例を、図３の分類記号体系を前提として説明すると、入力受付部から分類記号Ａ01及び遷移の方向を下とする情報が受け渡された場合、分類記号保持部から、Ａ01の一つ下の階層の分類記号中のＡ01Ｂ、Ａ01Ｃ、Ａ01Ｄを、利用する階層の分類記号として取得するといった具合である。
【００２５】
なお、取得される分類記号は、この具体例のように、選択された分類記号の示す概念に包含される下位の分類記号のみを表示させることとしてもよいし、あるいは、選択された分類記号の示す概念に包含されるかどうかに係わらず、分類記号データテーブルの下の階層の分類記号を表示させることとしてもよい。例えば、図３の分類記号体系を前提として説明すると、同様に、入力受付部から分類記号Ａ01及び遷移の方向を下とする情報が受け渡された場合、分類記号保持部から、Ａ01の一つ下の階層の分類記号中のＡ01Ｂ、Ａ01Ｃ、Ａ01Ｄ、Ａ21Ｂ、Ａ21Ｃ、Ａ21Ｄ、Ａ22Ｂ、Ａ22Ｃを、利用する階層の分類記号として取得するといった具合である。
【００２６】
あるいは、複数の分類記号に関する情報が受け渡されることとしてもよい。例えば、図３の分類記号体系を前提として説明すると、入力受付部から分類記号Ａ01、Ａ21及び遷移の方向を下とする情報が受け渡された場合、分類記号保持部から、Ａ01Ｂ、Ａ01Ｃ、Ａ01Ｄ、Ａ21Ｂ、Ａ21Ｃ、Ａ21Ｄを、利用する階層の分類記号として取得するといった具合である。
【００２７】
分類記号階層取得部で取得された利用する階層の分類記号は、類別部に受け渡される。
<類別部の説明>
【００２８】
「類別部」は、分類記号階層取得部から取得した階層の分類記号でデータ母集団を類別する機能を有する。類別とは、種類ごとに区別することをいい、類別部は、取得した階層の分類記号が示す概念に属するデータをデータ母集団から区別して、この類別されたデータを保持する。この機能は、類別プログラム等により、実現することが可能である。類別プログラムは、例えば、分類記号階層取得部から取得した利用する階層の分類記号に関連付けられるデータIDをデータ母集団保持部から抽出し、各データIDに付与されている特性値及び関連情報を取得する構成とすればよい。
【００２９】
類別部で保持された、類別されたデータは、後述する表示部における処理に利用される。
<表示部の説明>
【００３０】
「表示部」は、少なくとも一軸は取得した階層の分類記号として、その分類記号で類別されたデータのデータ特性値を同一分類記号ごとに総和し表示する。この機能は、モニタ、総和プログラム、描画プログラム等により、実現することができる。
【００３１】
ここで、「総和」するとは、加算すること、平均すること、乗算すること、乗算した上で平均することを含む。
【００３２】
総和プログラムは、分類記号ごとに、データ特性値を、類別部から取得し、その総和を計算する。描画プログラムは、計算結果を、グラフや表等の形でモニタに表示する。グラフには、ヒートマップ、バブルチャート等が含まれる。三軸以上のグラフや表等とすることも可能である。その場合は、立体的に見えるように描画して表示することも考えられるし、時間経過にしたがって表示される特性値の総和を変動させることにより時間軸を利用して表示することも考えられる。
【００３３】
表やグラフの軸は、少なくとも一軸は取得した階層の分類記号である。例えば、縦軸を取得した階層の分類記号とし、横軸を出願年とすることが考えられる。
<入力受付部の説明>
【００３４】
「入力受付部」は、表示されている分類記号の少なくとも一以上に対して利用したい階層の分類記号を分類記号の階層構造内で上下に遷移させて決定するための入力を受け付け、分類記号階層取得部に引き渡す。この機能は、例えば利用者用の入力デバイス、GUI、入力受付プログラムなどによって実現することができる。具体的には、例えばGUIなどを介して利用者が、マウスにより選択、キーボード入力などで、利用したい階層の分類記号を分類記号の階層構造内で上下に遷移させて決定するための情報を入力し、入力受付プログラムが、この入力結果を取得して類別部に受け渡す構成とすれば良い。あるいは、分類記号の一つをダブルクリックすれば、その分類記号の一つ下の階層に遷移するように構成しても良い。このような構成にすれば、分析を行う際に、操作が容易になる。
<ハードウェア構成>
【００３５】
図４は、上記機能的な各構成要件をハードウェアとして実現した際の、データ表示装置における構成の一例を表す概略図である。この図を利用して、それぞれのハードウェア構成部の働きについて説明する。
【００３６】
この図にあるように、データ表示装置は、データ母集団保持部、分類記号保持部、分類記号階層取得部、類別部、表示部、入力受付部の機能を実現し、またその他の各種演算処理を実行するために、「ＣＰＵ（中央演算装置）」（０４０１）と、「ＨＤＤ」（０４０２）と、「主メモリ」（０４０３）と、「Ｉ／Ｏ」（０４０４）などを備えており、それらが「システムバス」（０４０８）などのデータ通信経路によって相互に接続され、情報の送受信や処理を行う。また、Ｉ／Ｏには、「マウス」（０４０５）、「キーボード」（０４０６）、「モニタ」（０４０７）などが接続されている。
【００３７】
また、主メモリにはプログラムが読み出され、ＣＰＵは読み出された当該プログラムを参照することで各種演算処理を実行する。また、この主メモリやＨＤＤにはそれぞれ複数のアドレスが割り当てられており、ＣＰＵの演算処理においては、そのアドレスを特定し格納されているデータにアクセスすることで、データを用いた演算処理を行うことが可能になっている。
【００３８】
ＨＤＤの一部には、データ母集団として特許等データ群に関するデータが格納されている。また、ＨＤＤの他の一部には分類記号に関するデータが格納されている。
【００３９】
ここで、電源投入などをトリガーとして、分類記号階層取得プログラム、類別プログラム、総和プログラム、描画プログラム、入力受付プログラム等の各プログラムが主メモリの所定領域に読み出される。
【００４０】
ＣＰＵは、主メモリに読み出された分類記号階層取得プログラムを解釈し、そのプログラムにしたがった処理を行う。例えば、本実施形態のデータ表示装置を、Ｉ／Ｏからの分類記号入力待ち状態に制御する。そして、Ｉ／Ｏに接続されたキーボードによって入力された利用する階層の分類記号を分類記号データとして取得し、主メモリのアドレス１、・・・などに格納する。あるいは、ＨＤＤに格納されている分類記号データを取得して、主メモリのアドレス１、・・・などに格納することとしてもよい。
【００４１】
あるいは、ＣＰＵは、分類記号階層取得プログラムを解釈し、後述する入力受付プログラムによって、主メモリのアドレス２、・・・などに格納された、表示されている分類記号の少なくとも一以上に対して利用したい階層の分類記号を分類記号の階層構造内で上下に遷移させて決定するための情報を読み出し、この情報に基づいて利用する階層の分類記号を生成し、主メモリのアドレス１、・・・などに格納することとしてもよい。例えば、図３の分類記号体系を前提として説明すると、読み出した情報が、分類記号Ａ01及び遷移の方向を下とする情報であった場合、分類記号データテーブル内で分類記号その１が「Ａ」かつ分類記号その２が「01」のデータを検索し、該当するデータについて、分類記号その３のデータを読み出して、Ａ01Ｂ、Ａ01Ｃ、Ａ01Ｄを生成する、といった具合である。
【００４２】
なお、選択された分類記号の示す概念に包含される下位の分類記号のみを表示させることとしてもよいし、選択された分類記号の示す概念に包含されるかどうかに係わらず、分類記号データテーブルの下の階層の分類記号を表示させることとしてもよい点、あるいは、複数の分類記号に関する情報が受け渡されることとしてもよい点は前述のとおりである。
【００４３】
つづいて、ＣＰＵは、主メモリに読み出された類別プログラムを解釈し、そのプログラムにしたがって、主メモリのアドレス１、・・・に格納された利用する階層の分類記号と特許等データ群の各データＩＤに関連付けられた分類記号とを比較して、マッチング処理を行う。そして、特許等データ群から、利用する階層の分類記号に属するデータを抽出し、この類別されたデータを主メモリのアドレス３、・・・などに格納する。
【００４４】
つづいて、ＣＰＵは、主メモリに読み出された総和プログラムを解釈し、そのプログラムにしたがって、主メモリのアドレス３、・・・に格納された類別されたデータについて、分類記号ごとに、特性値の総和を算出し、そのデータを主メモリのアドレス４、・・・などに格納する。
【００４５】
つづいて、ＣＰＵは、主メモリに読み出された描画プログラムを解釈し、そのプログラムにしたがって、主メモリのアドレス４、・・・などに格納された特性値の総和やこれと関連付けられている類別に利用した特定の階層の分類記号などを利用して、グラフや表等を描画するためのデータを生成し、このデータをＩ／Ｏからモニタに出力する。
【００４６】
つづいて、ＣＰＵは、主メモリに読み出された入力受付プログラムを解釈し、そのプログラムにしたがって、本実施形態のデータ表示装置を、Ｉ／Ｏからの、利用したい階層の分類記号を分類記号の階層構造内で上下に遷移させて決定するための情報入力待ち状態に制御する。そして、Ｉ／Ｏに接続されたマウス等によって入力されたこの情報を主メモリのアドレス２、・・・などに格納する。
<処理の流れ>
【００４７】
図５は、実施形態１のデータ表示装置の処理の流れを示すフローチャートの一例である。なお、以下に示すステップは、上記のような計算機の各ハードウェア構成によって実行されるステップであっても良いし、媒体に記録され計算機を制御するためのプログラムを構成する処理ステップであっても構わない。
【００４８】
この図にあるように、本実施形態のデータ表示装置の処理の流れは、「分類記号階層取得ステップ」（Ｓ０５０１）と、「類別ステップ」（Ｓ０５０２）と、「表示ステップ」（Ｓ０５０３）と、「入力受付ステップ」（Ｓ０５０４）と、からなる。
【００４９】
分類記号階層取得ステップでは、利用する階層の分類記号を取得する処理が行われる。後述する入力受付ステップでの処理で得られる、表示されている分類記号の少なくとも一以上に対して利用したい階層の分類記号を分類記号の階層構造内で上下に遷移させて決定するための情報に基づいて処理が行われる場合もある。
【００５０】
次に、類別ステップでは、データ母集団である特許等データ群を参照し、分類記号取得ステップで取得された利用する階層の分類記号を含むかが判定される。判定がYESであれば、当該分類記号にひも付けられている、少なくともデータＩＤが、類別される。
【００５１】
次に、表示ステップは、サブステップである、総和ステップ（Ｓ０５０５）と、描画ステップ（Ｓ０５０６）とからなる。総和ステップでは、類別ステップで類別されたデータ特性値を分類記号ごとに総和する処理を行う。描画ステップでは、総和ステップで作成されたデータに基づいて、描画処理を行う。
【００５２】
次に、入力受付ステップは、入力の有無を判定し、判定がＹＥＳであれば、表示されている分類記号の少なくとも一以上に対して利用したい階層の分類記号を分類記号の階層構造内で上下に遷移させて決定するための情報を取得する。そして、取得した情報を分類記号階層取得ステップに受け渡す。判定がＮＯであれば、処理が終了してよいかを判定し、終了しない場合には、入力待機状態にもどる。
<処理の具体例>
【００５３】
以下に、本実施形態のデータ表示装置の処理の具体例を示す。ただし、具体的な処理手順は、これらに限定されない。
（絞り込み処理）
【００５４】
図６に示すように、本実施形態のデータ表示装置の画面（０６０１）には、企業名の入力欄（０６０２）や出願日の入力欄（０６０３）、分野（ＩＰＣ）の入力欄（０６０４）が設けられており、利用者は、表示されるデータについて、企業名や出願日、分野で絞込みをかけることができる。この図には示されていないが、関連情報として特許等データ群に保持されている各データを、個別にあるいは組み合わせて絞込みを行うこととしても良い。
【００５５】
絞込み処理を行うための画面には、絞込みを行うキーの決定に役立つ情報をあわせて表示することが望ましい。このような情報を表示しておけば、絞込みを効率よく行うことができる。例えば、図６のように、出願番号や、出願日や優先日などを意味する遡及日、権利者名、ＩＰＣ、ＹＫ値の一覧が表示される欄（０６０５）が備えられているといった具合である。
【００５６】
また、絞込みの結果の確認に役立つ情報をあわせて表示することが望ましい。例えば、図7のように、画面（０７０１）には、絞り込まれた特許等データ群を一覧表示させる表示欄（０７０２）を設けるなどすることが考えられる。あるいは、この図には示されていないが、絞込み後のデータの個数なども表示することとしてもよい。このような情報を表示しておけば、絞込みを効率よく行うことができる。
【００５７】
また、絞込み処理を行う順序は、特に限定されない。すなわち、入力受付ステップなどにおいて、絞込み処理を行うこととしてもよい。
（表示処理）
【００５８】
図６に示すように、本実施形態の表示装置の画面には、グラフの作成ボタン（０６０６）が備えられており、利用者が、グラフの作成ボタンをクリックすると、表やグラフがモニタに表示される。あるいは、利用者が他の操作をすることとしても良いし、一定時間の経過などの条件成就をトリガーとして、表やグラフがモニタに表示されることとしても良い。
【００５９】
表示される表やグラフの具体例は、次のとおりである。ただし、具体的な表示形式はこれらに限定されない。
【００６０】
図８は、実施形態１のデータ表示装置おいて表示される棒グラフの一例である。この図のように、表示されるグラフは、例えば、分類記号の一つである、AからHを第一軸とし、企業名を第二軸とし、特性値の一例であるYK値を第三軸とする棒グラフであってもよい。表示される特性値の総和の大小により、軸の目盛りの最大値や、目盛りの間隔は、利用者が操作をしなくても自動的に調整されることとするのが望ましい。また、表示される要素の個数の多少により、表示される要素名の大きさや文字数は、利用者が操作をしなくても、自動的に調整されることとするのが望ましい。このようにすることで、見やすいグラフを表示させることができる。
（入力受付された場合の表示の変遷）
【００６１】
図９は、利用者が表示されている分類記号の少なくとも一以上に対して利用したい階層の分類記号を分類記号の階層構造内で上下に遷移させて決定するための入力が受け付けられた場合について、画面の変遷の一例を示す図である。
【００６２】
以下に、図３の分類記号体系を前提として説明する。例えば、図９の表１のように分類記号ＡからＣを縦軸とし、企業名を横軸とする表が表示される。例えば、この図に示された表１の、分類記号Ａの部分を選択してダブルクリックすると、縦軸をＡ01、Ａ21、Ａ22とする新たな表２が作成、表示される。さらに、表２の縦軸に表示された分類記号中、Ａ01とＡ21を複数選択してダブルクリックすると、第一軸をＡ01Ｂ、Ａ01Ｃ、Ａ01Ｄ、Ａ21Ｂ、Ａ21Ｃ、Ａ21Ｄとする新たな表３が作成、表示される。
【００６３】
ここで、例えば右クリックにより表示されるダイアログボックス上の「階層を上へ」を選択すると、第一軸をＡ01、Ａ21、Ａ22とする新たな表４が作成、表示される。
【００６４】
図１０は、画面の変遷の他の一例を示す図であり、棒グラフの形で表示されている。この図に示すように、少なくとも一軸は取得した階層の分類記号であり、この表示されている分類記号の少なくとも一以上が展開されて表示されることとなる。
（表示されるグラフの他の例）
【００６５】
図１１は、表示されるヒートマップの一例である。この図に示すように、分類記号AからHを第一軸とし、出願年を第二軸とし、特性値の一例であるYK値を第三軸とするヒートマップが表示されることとしてもよい。
<実施形態１：効果>
【００６６】
本実施形態のデータ表示装置により、パテント等のマップを簡単に作成することができるとともに、分類記号の階層を上下に遷移させることで、階層構造をなす記号群によってデータ母集団中でのデータの分類を示すために用いられる分類記号ごとの分析を、簡単に行うことができる。
≪実施形態２≫
<実施形態２：概要>
【００６７】
本実施形態のデータ表示装置は、実施形態１を基礎としつつ、グラフィックポインタにて分類記号の表示領域を操作することで階層を上下に遷移させて決定するための入力を受け付けるポインタ入力受付手段を有する点に特徴がある。
<実施形態２：構成>
【００６８】
本実施形態の「データ表示装置」は、「データ母集団保持部」と、「分類記号保持部」と、「分類記号階層取得部」と、「類別部」と、「表示部」と、「入力受付部」と、を有する点で、実施形態１と共通する。そして、入力受付部の構成に特徴を有する。以下にこの特徴部分について説明をする。その他の部分に関しては実施形態１と同様であるので説明を省略する。
<実施形態２の各構成の説明>
<入力受付部の説明>
【００６９】
入力受付部は、グラフィックポインタ手段と、ポインタ入力受付手段と、を有する。なお、入力受付部は、表示されている分類記号の少なくとも一以上に対して利用したい階層の分類記号を分類記号の階層構造内で上下に遷移させて決定するための入力を受け付け、分類記号階層取得部に引き渡すこと、この機能は、例えば利用者用の入力デバイス、GUI、入力受付プログラムなどによって実現することができることなどは、実施形態１において述べたところと同様である。
【００７０】
グラフィックポインタ手段は、表示部にて表示されている画面内で利用者に利用される。
【００７１】
ポインタ入力受付手段は、グラフィックポインタ手段のグラフィックポインタにて分類記号の表示領域を操作することで階層を上下に遷移させて決定するための入力を受け付ける。
【００７２】
図１２は、入力受付の一例を示す図である。この図に示すように、ヒートマップ上で、利用者が、マウスポインタを操作して、範囲指定を行うことにより、複数の分類記号と出願年を一括で指定できるようにすることも考えられる。これにより、利用したい階層の分類記号を分類記号の階層構造内で上下に遷移させて決定するための情報の入力と、絞込みを簡単な手法で同時に行うことができ、直感的な操作が可能になる。
【００７３】
なお、同様の操作は、ヒートマップに限られず、バブルチャートや棒グラフ、表などで利用可能である。
<実施形態２：効果>
【００７４】
本実施形態のデータ表示装置により、利用者は、利用したい階層の分類記号を分類記号の階層構造内で上下に遷移させて決定するための情報の入力を簡単に行うことができる。
≪実施形態３≫
<実施形態３；概要>
【００７５】
本実施形態のデータ表示装置は、実施形態１又は２を基礎としつつ、分類記号保持部は、分類記号として、国際特許分類記号を保持する国際特許分類記号保持手段を有する点に特徴がある。
<実施形態３：構成>
【００７６】
本実施形態の「データ表示装置」は、「データ母集団保持部」と、「分類記号保持部」と、「分類記号階層取得部」と、「類別部」と、「表示部」と、「入力受付部」と、を有する点で、実施形態１又は２と共通する。そして、入力受付部の構成に特徴を有する。以下にこの特徴部分について説明をする。その他の部分に関しては実施形態１又は２と同様であるので説明を省略する。
<実施形態３の各構成の説明>
<入力受付部の説明>
【００７７】
分類記号保持部は、国際特許分類記号保持手段を有する。
【００７８】
国際特許分類記号保持手段は、分類記号として、国際特許分類記号（ＩＰＣ）を保持する。
【００７９】
国際特許分類記号は、最上位階層は、セクションであり、その次の階層は、クラスであり、その次の階層は、サブクラスであり、その次の階層は、メイングループであり、その次の階層は、サブグループである。
<実施形態３：効果>
【００８０】
本実施形態のデータ表示装置により、国際特許分類記号（ＩＰＣ）を利用したパテントマップを簡単に作成することができるとともに、分類記号の階層を上下に遷移させることで、階層構造をなす記号群によってデータ母集団中でのデータの分類を示すために用いられる分類記号ごとの分析を、簡単に行うことができる。
【符号の説明】
【００８１】
０１０１  データ表示装置
０１０２  データ母集団保持部
０１０３  分類記号保持部
０１０４  分類記号階層取得部
０１０５  類別部
０１０６  表示部
０１０７  入力受付部  
０４０１  ＣＰＵ
０４０２  ＨＤＤ
０４０３  主メモリ
０４０４  Ｉ／Ｏ
０４０５  マウス  
０４０６  キーボード  
０４０７  モニタ  
０４０８  システムバス
Ｓ０５０１  分類記号階層取得ステップ  
Ｓ０５０２  類別ステップ  
Ｓ０５０３  表示ステップ  
Ｓ０５０４  入力受付ステップ  
Ｓ０５０５  総和ステップ  
Ｓ０５０６  描画ステップ  
０６０１、０７０１  画面  
０６０２  企業名の入力欄  
０６０３  出願日の入力欄  
０６０４  分野（ＩＰＣ）の入力欄  
０６０５  出願番号や、出願日や優先日などを意味する遡及日、権利者名、ＩＰＣ、ＹＫ値の一覧が表示される欄  
０６０６  グラフの作成ボタン  
０７０２  絞り込まれた特許等データ群を一覧表示させる表示欄
【図１】
2011090535.tif 000003
【図２】
2011090535.tif 000004
【図３】
2011090535.tif 000005
【図４】
2011090535.tif 000006
【図５】
2011090535.tif 000007
【図６】
2011090535.tif 000008
【図７】
2011090535.tif 000009
【図８】
2011090535.tif 000010
【図９】
2011090535.tif 000011
【図１０】
2011090535.tif 000012
【図１１】
2011090535.tif 000013
【図１２】
2011090535.tif 000014